(57)【要約】【課題】ブラケットと設置壁面との間をシャワー配管スペースとして有効利用することにより、見栄え、および安全性を向上させた手摺装置の提供を目的とする。【解決手段】内部配管１が挿通する手摺杆２の一端部を設置壁面３に固定するブラケット４を有し、他端部側において内部配管１に供給した温水等を内部配管１のブラケット４側端部に連結した外部配管５に供給する手摺装置であって、前記ブラケット４は、設置壁面への固定部７と、先端が設置壁面３側に屈曲された内部配管の固定部８とを正面方向からの操作可能位置に備えるブラケット本体６と、該ブラケット本体６に着脱可能に連結され、前記両固定部を覆うブラケットカバー９とからなり、かつ、ブラケット本体６と設置壁面３との間に前記外部配管５の収容間隔を設けて構成する。【選択図】　図２
2004057216.tif 000002
【特許請求の範囲】
【請求項１】
内部配管が挿通する手摺杆の一端部を設置壁面に固定するブラケットを有し、他端部側において内部配管に供給した温水等を内部配管のブラケット側端部に連結した外部配管に供給する手摺装置であって、
前記ブラケットは、設置壁面への固定部と、先端が設置壁面側に屈曲された内部配管の固定部とを正面方向からの操作可能位置に備えるブラケット本体と、
該ブラケット本体に着脱可能に連結され、前記設置壁面への固定部と内部配管の固定部の双方を覆うブラケットカバーとからなり、
かつ、ブラケット本体と設置壁面との間に前記外部配管の収容間隔を設けた手摺装置。
【発明の詳細な説明】
【０００１】
【発明の属する技術分野】
本発明は、手摺装置に関するものである。
【０００２】
【従来の技術】
手摺杆内にシャワー配管を挿通するようにした手摺装置としては、例えば、特開平１１−１７２７２９号公報に記載されたものが知られている。
【０００３】
この従来例において、手摺装置は、下端に浴室のカウンタへの固定片と、上端に設置壁面への支持部材（ブラケット）を備える。手摺杆にはシャワー配管が挿通され、支持部材に固定されるホース接続部に連結される。
【０００４】
【発明が解決しようとする課題】
しかし、上述した従来例において、ホース接続部がブラケットの側方に突出する状態となるために、見栄えが悪い上に、浴室等で利用者が転倒した際等には危険であるという問題がある。また、内部配管の取付方向が、ブラケットを設置壁面に固定する方向と異なる為、施工作業および施工後のメンテナンス作業が困難であった。
【０００５】
本発明は、以上の欠点を解消すべくなされたものであって、ブラケットと設置壁面との間をシャワー配管スペースとして有効利用することにより、見栄え、および安全性を向上させると共に、内部配管およびブラケットの取付手段の操作方向を正面にする事で、作業性を向上させた手摺装置の提供を目的とする。
【０００６】
【課題を解決するための手段】
本発明によれば上記目的は、
内部配管１が挿通する手摺杆２の一端部を設置壁面３に固定するブラケット４を有し、他端部側において内部配管１に供給した温水等を内部配管１のブラケット４側端部に連結した外部配管５に供給する手摺装置であって、
前記ブラケット４は、設置壁面への固定部７と、先端が設置壁面３側に屈曲された内部配管の固定部８とを正面方向からの操作可能位置に備えるブラケット本体６と、
該ブラケット本体６に着脱可能に連結され、前記設置壁面への固定部７と内部配管の固定部８の双方を覆うブラケットカバー９とからなり、
かつ、ブラケット本体６と設置壁面３との間に前記外部配管５の収容間隔を設けた手摺装置を提供することにより達成される。
【０００７】
手摺装置の手摺杆２内部を挿通する内部配管１の一端は設置壁面３側に屈曲されてブラケット本体６に固定され、該内部配管１にさらに例えばシャワーホース等の外部配管５が接続される。ブラケット本体６と設置壁面３との間には、この外部配管５を収容する程度のスペースが設けられ、さらに、内部配管１は設置壁面３側に屈曲されて該屈曲先端部に外部配管５との接続部が配置されるために、該接続部が外部に突出、あるいは露出することがないために、外観を向上させることができる上に、安全性も向上する。
【０００８】
また、ブラケット本体６の設置壁面への固定部７と、ブラケット本体６への内部配管の固定部８の双方が、ブラケットカバー９を取り外した状態で正面から操作可能な位置に配置されているために、設置作業性、および手摺装置の組み立て作業性が向上する上に、メンテナンス性能も向上する。
【０００９】
【発明の実施の形態】
図１に示すように、手摺装置Ａは、例えば、浴室内において浴槽Ｂに出入りする際に身体を支える支えとして使用され、一端が浴室のカウンタＣ等に固定され、他端が設置壁面３に固定される。
【００１０】
この手摺装置Ａは、図２〜５に示すように、中空パイプ形状の手摺杆２を有し、この手摺杆２内には、銅管からなる内部配管１が挿通される。これら手摺杆２と内部配管１の下端部は、カウンタ天板１０に開設される配管用開口１０ａからカウンタＣ内に挿入され、内部配管１の下端は、カウンタＣ内に収容される配管部Ｄに連結される。
【００１１】
上記手摺杆２の下端にはカウンタ天板１０の裏面に沿って配置される下部固定具１１と、手摺杆２が挿通する固定筒１２が装着される。固定筒１２には、下部固定具１１と協働してカウンタ天板１０を挟み付けるフランジ１２ａが設けられ、手摺杆２下端は、固定筒１２の下端に固定ナット１３を締め付けてカウンタ天板１０に固定される。なお、図２、３において１４は手摺杆２、下部固定具１１、および固定筒１２を共締めするためのねじを示す。
【００１２】
また、手摺装置Ａは、上端部を設置壁面３に固定して手摺杆２を縦姿勢に配置するためのブラケット４を備える。ブラケット４は、ブロック状の固定片６ａから延設部６ｂを延設したブラケット本体６と、ブラケット本体６に着脱可能に連結されるブラケットカバー９とからなり、固定部７において設置壁面３に固定される。
【００１３】
設置壁面３への固定部７は固定ねじ７ａと、固定片６ａに開設される貫通孔７ｂにより構成され、設置壁面３の正面方向から固定作業が可能な位置に配置される。
【００１４】
延設部６ｂは、側面視において、上記固定片６ａの下端から漸次設置壁面３と離隔しながら下方に延びる曲線形状をなし、下端部に固定用差込片６ｃを備える。固定用差込片６ｃは、正面方向側が開放された、略Ｕ字状の断面形状をなし、基端部には正面方向側が開放された突き当て面６ｄが全周に渡って形成される。
【００１５】
また、固定用差込片６ｃの基端部には、配管挿通孔６ｅが正面から裏面に貫通して形成され、固定用差込片６ｃの正面側壁面には、上端から配管挿通孔６ｅに至るまでの間に、内部配管１を支承するための曲率断面を有する支承面６ｆが形成される。上記配管挿通孔６ｅの裏面側開口は、設置壁面３から適宜間隔、正確には、後述するシャワーホースの配設、旋回スペースが確保できる程度の間隔（Ｓ）が設定される（図２参照）。
【００１６】
図４に示すように、内部配管１のブラケット４側端部は設置壁面３側に屈曲され、その先端にジョイント１６が固定される。内部配管１をブラケット本体６に固定するための固定部８は、このジョイント１６に形成される固定用フランジ８ａに穿孔されるねじ貫通孔８ｂを備え、図２に示すように、ねじ８ｃにより固定用フランジ８ａを延設部６ｂにねじ止めして構成される。正面方向からの作業が可能なように、固定用差込片６ｃの略Ｕ字形状部分は内部配管１を正面方向から通過可能に形成されていると共に、固定部８を構成する各部は、正面方向からの作業が可能な位置に配置される。
【００１７】
このブラケット本体６と手摺杆２とは、上記突き当て面６ｄと手摺杆２の材端との間に合成樹脂製の目地リング１７を介装させた状態で、上記固定用差込片６ｃを手摺杆２の中空部に挿入させ、手摺杆２を貫通する固定ねじ１５を固定用差込片６ｃにねじ込んで固定される。
【００１８】
上記ブラケット本体６には、ブラケットカバー９が装着される。ブラケットカバー９は、図５に示すように、ブラケット本体６の正面部をほぼ全域にわたって覆う主体部９ａと、主体部９ａの設置壁面３側辺縁からブラケット本体６の底壁に沿って張り出される張り出し片９ｂとを有して形成される。このブラケットカバー９のブラケット本体６への装着は、図５において矢印５Ａで示すように、ブラケット本体６の上端部から設置壁面３に沿ってスライドさせることにより行われ、この後、ブラケットカバー９の上端から止着子１８をねじ込んで分離が防止される。連結状態において張り出し片９ｂに形成された係止突起９ｃがブラケット本体６の固定片６ａに形成された係止凹部６ｇに係止して、側方へのずれが防止される。なお、図５において１９は止着子１８を隠すための目隠し部材を示す。
【００１９】
以上のように構成される手摺装置Ａの施工手順を説明する。手摺装置Ａは、工場において予め組み立てて施工現場に搬入することが可能であり、組立は、まず、内部配管１のジョイント１６をブラケット本体６に固定した後、ジョイント１６にホースカプラ２０を連結して行われる。この後、手摺杆２に内部配管１を挿通させ、手摺杆２とブラケット本体６とを連結、固定する。
【００２０】
この状態で施工現場に搬送された手摺装置Ａは、まず、カウンタＣに取り付けた下部固定具１１に手摺杆２を挿通し、所定の取付高さでブラケット本体６を設置壁面３に固定する。図２、３に示すように、設置壁面３とブラケット本体６との間には、パッキン２１が介装され、ブラケット４内への水の侵入、および固定ねじ７ａへの着水が防止される。上述したように、ブラケット本体６は、ブラケットカバー９が装着されていない状態で固定部７は正面からの作業が可能に配置されているために、設置壁面３への固定作業は簡単に行うことができる。
【００２１】
このようにしてブラケット本体６を設置壁面３に固定した後、下部固定金具に手摺杆２を固定し、さらに、内部配管１をカウンタＣ内の配管部Ｄに連結し、次いで、ホースカプラ２０にシャワーホース（外部配管５）を連結し、最後にブラケット本体６にブラケットカバー９を装着して施工作業が終了する。
【００２２】
施工完了状態において、シャワーホース５の基端はブラケット４の背面に隠れた状態となり、転倒時等における利用者の衝接が防止される。なお、ホースカプラ２０をジョイント１６に対して設置壁面３に直交する軸周りに回転自在にしておくと、使い勝手が向上する。また、不具合が発生した場合には、ブラケットカバー９を取り外し、内部配管１の上端部、および設置壁面３への固定部７、８を確認することができ、必要な場合には、ブラケット本体６、すなわち、手摺杆２の撤去を簡単に行うことができる。
【００２３】
【発明の効果】
以上の説明から明らかなように、本発明によれば、ブラケットと設置壁面との間をシャワー配管スペースとして有効利用することにより、見栄え、および安全性を向上させることができる。
【図面の簡単な説明】
【図１】浴室への施工状態を示す全体図である。
【図２】本発明の断面図である。
【図３】図２の分解斜視図である。
【図４】ブラケット本体の斜視図である。
【図５】ブラケットの分解斜視図である。
【符号の説明】
１　　　　内部配管
２　　　　手摺杆
３　　　　設置壁面
４　　　　ブラケット
５　　　　外部配管
６　　　　ブラケット本体
７　　　　設置壁面への固定部
８　　　　内部配管の固定部
９　　　　ブラケットカバー
【図１】
2004057216.tif 000003
【図２】
2004057216.tif 000004
【図３】
2004057216.tif 000005
【図４】
2004057216.tif 000006
【図５】
2004057216.tif 000007